(57)【要約】【課題】実際に印刷を行わなくても印刷結果を確認することができ、無駄な費用を軽減できて、１部の印刷を行なう場合でも印刷前に印刷結果を確認できる。【解決手段】プリンタ部１０３による通常印刷の実行前に印刷結果を確認するための試し印刷の印刷指示入力が可能な試しコピーキーを備え、画面表示可能な操作表示部１０１と、試しコピーキーから印刷指示入力を受け付けた場合に、前記試し印刷に替えて印刷結果のプレビュー画像を操作表示部１０１に表示する表示制御部１５１と、を備えた。【選択図】        図１
2007160790.tif 000002
【特許請求の範囲】
【請求項１】
プリンタ部を備えた画像出力装置において、
前記プリンタ部による通常印刷の実行前に印刷結果を確認するための試し印刷の印刷指示入力が可能な入力部を備え、画面表示可能な操作表示手段と、
前記入力部から前記印刷指示入力を受け付けた場合に、前記試し印刷に替えて前記印刷結果のプレビュー画像を前記操作表示手段に表示する表示制御手段と、を備えたこと、
を特徴とする画像出力装置。
【請求項２】
スキャナ部をさらに備え、
前記表示制御手段は、前記プレビュー画像として、前記スキャナ部によってスキャンされた原稿の画像データを前記操作表示手段に表示すること、
を特徴とする請求項１に記載の画像出力装置。
【請求項３】
前記画像データに対して、印刷に関する設定情報の画像を付加する画像処理手段を更に備え、
前記表示制御手段は、更に、前記操作表示手段を介して利用者に対して前記設定情報の入力を促し、前記操作表示手段から前記設定情報の入力を受け付けた場合に、受け付けた前記設定情報の画像が付加された前記画像データを前記プレビュー画像として前記操作表示手段に表示すること、
を特徴とする請求項１または２に記載の画像出力装置。
【請求項４】
前記表示制御手段は、更に、利用者に対して、前記プレビュー画像の表示を行うか、あるいは試し印刷を行うかのいずれかの選択を促す出力選択画面を前記操作表示手段に表示し、前記出力選択画面から前記プレビュー画像の表示を行う旨の選択を受け付けた場合に、前記プレビュー画像を前記操作表示手段に表示すること、
を特徴とする請求項１〜３のいずれか１つに記載の画像出力装置。
【請求項５】
プリンタ部による通常印刷の実行前に印刷結果を確認するための試し印刷の印刷指示入力を受け付けた場合に、前記試し印刷に替えて前記印刷結果のプレビュー画像を操作表示手段に表示する表示制御ステップと、を含むこと、
を特徴とするプレビュー画像表示方法。
【請求項６】
請求項５に記載のプレビュー画像表示方法をコンピュータに実行させるプレビュー画像表示プログラム。
【発明の詳細な説明】
【技術分野】
【０００１】
本発明は、画像データを印刷する複写機、ファクシミリ装置、プリンタ装置、またはコピー、ファクシミリ、プリンタなどの複数の機能を一つの筐体に収納した複合機などの画像出力装置、プレビュー画像表示方法、およびプレビュー画像表示プログラムに関するものであり、特に、印刷結果を確認するための試しコピーをプレビュー画像として表示する画像出力装置、プレビュー画像表示方法、およびプレビュー画像表示プログラムに関する。
【背景技術】
【０００２】
従来の画像出力装置では、複数部の印刷（コピー等）を行なう前に印刷結果を確認するため、試しコピーとして実際に１部のみ印刷を行なうものが知られている。また、設定されたコピー項目（条件）で試しコピーとして印刷を実行して、ミスコピーが発生したときには、設定されたコピー項目を利用者との対話形式で自動修正できる画像出力装置が公開されている（例えば、特許文献１）。
【０００３】
【特許文献１】特開２００５−２６８９４７号公報
【発明の開示】
【発明が解決しようとする課題】
【０００４】
しかしながら、従来の技術では、試しコピーとして１部の印刷を行なうことで印刷結果を確認するため、複数部数のミスコピーは防げるものの、利用者の意図通りの印刷結果ではない場合には、常に１部のミスコピーが発生してしまい、無駄な費用を要する結果となっていた。また、上記特許文献１でも、複数部の印刷前にコピー項目の修正は可能であるが、印刷結果の確認には、試しコピーとして実際に印刷を行なうため、上記と同様に、常に１部のミスコピーが発生してしまい、無駄な費用を要していた。
【０００５】
本発明は、上記に鑑みてなされたものであって、試しコピーをプレビュー画像として表示することによって、実際に印刷を行わなくても印刷結果を確認することができ、無駄な費用を軽減できて、１部の印刷を行なう場合でも印刷前に印刷結果を確認できる画像出力装置、プレビュー画像表示方法、およびプレビュー画像表示プログラムを得ることを目的とする。
【課題を解決するための手段】
【０００６】
上述した課題を解決し、目的を達成するために、本発明は、プリンタ部を備えた画像出力装置において、前記プリンタ部による通常印刷の実行前に印刷結果を確認するための試し印刷の印刷指示入力が可能な入力部を備え、画面表示可能な操作表示手段と、前記入力部から前記印刷指示入力を受け付けた場合に、前記試し印刷に替えて前記印刷結果のプレビュー画像を前記操作表示手段に表示する表示制御手段と、を備えたこと、を特徴とする。
【０００７】
また、本発明は、スキャナ部をさらに備え、前記表示制御手段は、前記プレビュー画像として、前記スキャナ部によってスキャンされた原稿の画像データを前記操作表示手段に表示すること、を特徴とする。
【０００８】
また、本発明は、前記画像データに対して、印刷に関する設定情報の画像を付加する画像処理手段を更に備え、前記表示制御手段は、更に、前記操作表示手段を介して利用者に対して前記設定情報の入力を促し、前記操作表示手段から前記設定情報の入力を受け付けた場合に、受け付けた前記設定情報の画像が付加された前記画像データを前記プレビュー画像として前記操作表示手段に表示すること、を特徴とする。
【０００９】
また、本発明は、前記表示制御手段は、更に、利用者に対して、前記プレビュー画像の表示を行うか、あるいは試し印刷を行うかのいずれかの選択を促す出力選択画面を前記操作表示手段に表示し、前記出力選択画面から前記プレビュー画像の表示を行う旨の選択を受け付けた場合に、前記プレビュー画像を前記操作表示手段に表示すること、を特徴とする。
【００１０】
また、本発明は、プリンタ部による通常印刷の実行前に印刷結果を確認するための試し印刷の印刷指示入力を受け付けた場合に、前記試し印刷に替えて前記印刷結果のプレビュー画像を操作表示手段に表示する表示制御ステップを含むことを特徴とする。
【００１１】
また、本発明は、請求項５に記載のプレビュー画像表示方法をコンピュータに実行させる。
【発明の効果】
【００１２】
本発明によれば、プリンタ部による通常印刷の実行前に印刷結果を確認するための試し印刷の印刷指示入力を受け付けた場合に、試し印刷に替えて印刷結果のプレビュー画像を操作表示手段に表示することで、利用者が印刷結果の確認のために試し印刷の印刷指示を行った場合でも、印刷結果が実際に印刷されることなくプレビュー画像として表示される。このため、不要な印刷用紙についての無駄な費用を軽減でき、１部の通常印刷を行なう場合でも通常印刷の実行前に印刷結果を確認できるという効果を奏する。
【００１３】
また、本発明によれば、プレビュー画像として、スキャナ部によってスキャンされた原稿の画像データを操作表示手段に表示することで、利用者が印刷結果の確認のために試し印刷の印刷指示を行った場合でも、原稿の内容についても正確な印刷結果を、実際に印刷を行なわずにプレビュー画像で確認することができ、不要な印刷用紙についての無駄な費用を軽減できて、１部の通常印刷を行なう場合でも通常印刷の実行前に印刷結果を確認できるという効果を奏する。
【００１４】
また、本発明によれば、操作表示手段を介して利用者に対して設定情報の入力を促し、操作表示手段から設定情報の入力を受け付けた場合に、受け付けた設定情報の画像が付加された画像データをプレビュー画像として操作表示手段に表示することで、利用者が印刷結果の確認のために試し印刷の印刷指示を行った場合でも、印刷に関する設定情報についても正確な印刷結果を、実際に印刷を行なわずにプレビュー画像で確認することができる。このため、不要な印刷用紙についての無駄な費用を軽減でき、１部の通常印刷を行なう場合でも通常印刷の実行前に印刷結果を確認できるという効果を奏する。
【００１５】
また、本発明によれば、利用者に対してプレビュー画像の表示を行うかあるいは試し印刷を行うかのいずれかの選択を促す出力選択画面を操作表示手段に表示し、出力選択画面からプレビュー画像の表示を行う旨の選択を受け付けた場合に、プレビュー画像を操作表示手段に表示することで、状況に合わせて印刷結果の確認のためのプロビュー画像の表示が行えるため、より適切な方法で印刷結果を把握できるという効果を奏する。
【００１６】
また、本発明によれば、プリンタ部による通常印刷の実行前に印刷結果を確認するための試し印刷の印刷指示入力を受け付けた場合に、試し印刷に替えて印刷結果のプレビュー画像を操作表示手段に表示することで、利用者が印刷結果の確認のために試し印刷の印刷指示を行った場合でも、印刷結果が実際に印刷されることなくプレビュー画像として表示される。このため、不要な印刷用紙についての無駄な費用を軽減でき、１部の通常印刷を行なう場合でも通常印刷の実行前に印刷結果を確認できるという効果を奏する。
【００１７】
また、本発明によれば、コンピュータに読み取らせて実行することによって、請求項５に記載されたプレビュー画像表示方法をコンピュータの利用で実現することができ、上記プレビュー画像表示方法と同様の効果を奏する。
【発明を実施するための最良の形態】
【００１８】
以下に添付図面を参照して、この発明にかかる画像出力装置、プレビュー画像表示方法およびプレビュー画像表示プログラムの最良な実施の形態を詳細に説明する。本実施の形態では、本発明の画像出力装置を、スキャナ機能や、コピー、ファクシミリ、プリンタなどの複数の機能を一つの筐体に収納した複合機に適用した例を示す。
【００１９】
図１は、本発明の実施の形態にかかる複合機の構成を示すブロック図である。本実施の形態にかかる複合機１００は、原稿をスキャンして、スキャンした原稿の画像データを生成して印刷するものであり、スキャナ部１０２と、プリンタ部１０３と、操作表示部１０１と、本体部１１０とから主に構成されている。
【００２０】
スキャナ部１０２は、利用者によって載置された原稿を、ＣＣＤ（Charge Coupled Device）によりスキャンして読み取るものである。
【００２１】
プリンタ部１０３は、本体部１１０によって生成された印刷用の画像データを紙媒体等に印刷するものである。
【００２２】
操作表示部１０１は、液晶表示部２０１と操作部２０２とからなる。操作部２０２からは、利用者による各種入力が可能であり、液晶表示部２０１は、各種画面が表示可能となっている。また、この液晶表示部２０１に表示された画面から、利用者によるタッチ操作によって各種入力を可能としている。また、操作表示部１０１は、その操作部２０２に試しコピーキー１０１ａ（図２参照）を備えている。ここで、試しコピーキー１０１ａとは、プリンタ部１０３による画像データの通常印刷の実行前に、通常印刷とは別に印刷結果を確認するための試し印刷（１部印刷）を実行する場合に、その試し印刷の印刷指示を入力するために押下するキーである。また、通常印刷とは、印刷結果の確認を行わずに画像データを紙媒体に印刷することである。なお、本実施の形態では、試しコピーキー１０１ａが押下されることで試し印刷の印刷指示が入力されるが、これに限定されるものではなく、ボタンなどの操作部をスライドさせること等によって上記指示が入力されるよう構成してもよい。
【００２３】
ここで、操作表示部１０１に関して、図を参照して説明する。図２は、本実施の形態にかかる複合機１００の操作表示部１０１の一例を示す模式図である。図２に示すように、操作表示部１０１は、中央に液晶表示部（ＬＣＤ：Liquid Crystal Display）２０１を備え、その両側に多種のボタンが配置された操作部２０２が設けられている。
【００２４】
液晶表示部２０１は、タッチ式で入力が可能となっており、この液晶表示部２０１に後述する「メニュー画面」が表示され、「メニュー画面」からのタッチ入力により各種設定が可能となっている。また、操作部２０２には、電源やテンキー、スタートキー、更に、上述した試しコピーキー１０１ａ等が設けられている。図２に示すように、試しコピーキー１０１ａは、既存のスタートキーの近傍に設けられているため、試しコピーキーをトリガーとする場合は、試しコピーをプレビュー画像として表示できることを知らない利用者も容易に利用できる。
【００２５】
なお、本実施の形態にかかる複合機１００では、試しコピーキーは、操作部２０２にハードウェアキーとして設けられているが、これに限定されるものではなく、液晶表示部２０１にソフトウェアキーとして試しコピーキーを表示し、タッチ操作で押下するように構成してもよい。
【００２６】
本体部１１０は、ＨＤＤ（Hard Disk Drive）１２０と、複合機１００の全体の制御を行う制御部１５０とを主に備えており、制御部１５０は、更に、表示制御部１５１と、読取制御部１５２と、画像メモリ１５３と、画像処理部１５４と、書込制御部１５５とを主に備えている。
【００２７】
表示制御部１５１は、画像データの印刷に関する設定情報、すなわち、用紙サイズや印刷倍率、両面印刷を行なうか否か、ステープル処理を行うか否か、パンチ処理を行うか否か等の設定情報の入力を行う「メニュー画面」を操作表示部１０１の液晶表示部２０１に表示して利用者からの入力を促し、入力された設定情報等を受け付ける制御を行うものである。また、表示制御部１５１は、利用者により試しコピーキー１０１ａが押下されることにより、印刷結果の確認のための試し印刷の印刷指示が入力されると、実際に印刷されることなく、スキャナ部１０２によってスキャンした原稿の画像データ（以下、スキャン画像という。）上に設定情報の画像を付加したプレビュー画像を、印刷結果のプレビュー画像として操作表示部１０１に表示する制御を行う。
【００２８】
なお、本実施の形態にかかる複合機１００では、実際にスキャンした原稿の画像データに設定情報の画像を付加した画像データをプレビュー画像として表示しているが、これに限定されるものではなく、簡易なレイアウト画像に設定情報の画像を付加した画像データをプレビュー表示してもよい。
【００２９】
読取制御部１５２は、スキャナ部１０２から載置された原稿をスキャンする制御を行うものである。
【００３０】
画像メモリ１５３は、スキャン画像や、後述する画像処理部１５４により生成されたプレビュー画像等を、画像処理等のために一時的に保存する記憶媒体である。
【００３１】
画像処理部１５４は、画像メモリ１５３に一時的に保存されたスキャン画像から、プリンタ部１０３における印刷用の画像データを生成する処理等を行うものである。また、画像処理部１５４は、スキャナ部１０２によりスキャンしたスキャン画像上に、操作表示部１０１から入力された設定情報をイメージ化した画像を付加したプレビュー画像を生成し、画像メモリ１５３に保存する。設定情報をイメージ化した画像とは、例えば、ステープル処理が設定されている場合はホッチキスの針の画像、パンチ処理が設定されている場合はパンチ穴の画像等である。
【００３２】
書込制御部１５５は、画像処理部１５４において生成された印刷用の画像データをプリンタ部１０３により印刷するなどの制御を行うものである。
【００３３】
ＨＤＤ１２０は、画像処理部１５４によって生成された印刷用の画像データ等を保存する記憶媒体である。
【００３４】
次に、以上のように構成された本実施の形態にかかる複合機１００による画像形成処理について説明する。図３は、複合機１００における画像形成処理の手順を示すフローチャートである。
【００３５】
まず、利用者により原稿が載置されると、表示制御部１５１は、設定情報の入力を促す「メニュー画面」を操作表示部１０１に表示する（ステップＳ３０１）。ここで、「メニュー画面」の詳細について説明する。図４は、本実施の形態にかかる複合機１００の操作表示部１０１に表示された「メニュー画面」の一例を示す模式図である。図４に示すように、設定情報として、カラー印刷の有無、用紙サイズ、印刷倍率、レイアウト加工処理（両面印刷／片面印刷、集約印刷、余白サイズの調整など）、各種の画像処理（解像度の変更、拡大／縮小、濃度／色の調整など）等の入力が可能な画面が表示され、利用者のタッチ操作による入力を受け付ける。
【００３６】
次に、「メニュー画面」から利用者がタッチ操作による入力を行うと、表示制御部１５１は、設定情報の入力を受け付ける（ステップＳ３０２）。そして、通常印刷の実行前に印刷結果を確認するためのプレビュー画像または試し印刷（１部印刷）を実行する場合は、利用者は、操作表示部１０１の試しコピーキー１０１ａ（図２参照）を押下する。これにより、表示制御部１５１は、試しコピーキー１０１ａの入力を受け付ける（ステップＳ３０３）。
【００３７】
次に、試しコピーキー１０１ａの入力を受け付けると、読取制御部１５２は、スキャナ部１０２により載置された原稿をスキャンして、スキャンによって生成された画像データ、即ち、スキャン画像を画像メモリ１５３に保存する（ステップＳ３０４）。そして、画像処理部１５４は、スキャン画像上に「メニュー画面」により入力された設定情報をイメージ化した画像を付加する（ステップＳ３０６）。そして、画像処理部１５４は、設定情報の画像を付加したスキャン画像を、プレビュー画像として画像メモリ１５３に保存する（ステップＳ３０７）。
【００３８】
次に、表示制御部１５１は、利用者によって試しコピーキー１０１ａが押下されたことによる試しコピーの方法として、プレビュー画像の表示を行うか、試し印刷（１部印刷）を行うかを選択させる「試しコピー出力選択画面」を操作表示部１０１に表示し、利用者に選択を促す（ステップＳ３０７）。
【００３９】
ここで、「試しコピー出力選択画面」の詳細について説明する。図５は、本実施の形態にかかる複合機１００の操作表示部１０１に表示された「試しコピー出力選択画面」の一例を示す模式図である。図５に示すように、「試しコピー出力選択画面」は、「メニュー画面」の上に重畳して、ポップアップ画面として表示される。「試しコピー出力選択画面」には、試しコピーを、実際に紙媒体などに印刷（プリント）して確認するか、印刷せずにプレビュー画面が表示された画面上で確認するかの選択要求が表示される。そして、印刷して確認する旨のプリント確認ボタン、およびプレビュー画面で確認する旨の画面上確認ボタンが表示され、利用者により選択されたいずれかのボタンからタッチ操作による入力を受け付ける。
【００４０】
次に、表示制御部１５１は、「試しコピー出力選択画面」から利用者により画面上確認の入力を受け付けたか否かの判断をする（ステップＳ３０８）。そして、利用者により画面上確認の入力を受け付けると（ステップＳ３０８：Ｙｅｓ）、表示制御部１５１は、画像メモリ１５３に保存されているプレビュー画像を取得する（ステップＳ３０９）。そして、表示制御部１５１は、取得したプレビュー画像を「試しコピープレビュー画面」として、操作表示部１０１に表示する（ステップＳ３１０）。
【００４１】
ここで、「試しコピープレビュー画面」の詳細について説明する。図６は、本実施の形態にかかる複合機１００の操作表示部１０１に表示された「試しコピープレビュー画面」の一例を示す模式図である。図６に示すように、画面の左側の領域には、例えば、スキャン画像に入力された設定情報であるステープル処理が設定されている旨をイメージ化した画像（ホッチキスの針の画像）を付加したプレビュー画像が表示されている。また、画面の右側の領域には、入力された設定情報が表示されている。そして、画面の右上部側には、実際の印刷を開始する旨の印刷継続ボタン、および印刷を中止する旨の印刷中止ボタンが表示され、プレビュー画像を確認した後、利用者により選択されたいずれかのボタンからタッチ操作による入力を受け付ける。
【００４２】
次に、表示制御部１５１は、「試しコピープレビュー画面」から印刷開始の入力を受け付けたか否かの判断をする（ステップＳ３１１）。そして、印刷開始（継続）の入力を受け付けた場合（ステップＳ３１１：Ｙｅｓ）、書込制御部１５５は、画像メモリ１５３からスキャン画像を取得して、上記設定情報の内容で印刷処理を行う（ステップＳ３１２）。一方、印刷中止の入力を受け付けた場合（ステップＳ３１１：Ｎｏ）、実際の印刷処理は行なわず、ステップＳ３０１に戻って再度処理を繰り返す。
【００４３】
また、ステップＳ３０８に戻って、利用者によりプリント確認の入力を受け付けると（ステップＳ３０８：Ｎｏ）、書込制御部１５５は、画像メモリ１５３に保存されているスキャン画像を取得する（ステップＳ３１３）。そして、書込制御部１５５は、入力された設定情報の内容に従って、試しコピーとして取得したスキャン画像を紙媒体等に１部のみ印刷する（ステップＳ３１４）。次に、書込制御部１５５により１部のみ印刷を行うと、表示制御部１５１は、「印刷継続選択画面」を操作表示部１０１に表示し、利用者に選択を促す（ステップＳ３１５）。
【００４４】
ここで、「印刷継続選択画面」の詳細について説明する。図７は、本実施の形態にかかる複合機１００の操作表示部１０１に表示された「印刷継続選択画面」の一例を示す模式図である。図７に示すように、「印刷継続選択画面」は、「メニュー画面」の上に重畳して、ポップアップ画面として表示される。「印刷継続選択画面」には、このまま残りの部数の印刷を行なうか、残りの部数の印刷は中止するかの選択要求が表示される。そして、印刷を継続する旨の継続ボタン、および印刷を中止する旨の中止ボタンが表示され、一部印刷された紙媒体等を確認した利用者により選択されたいずれかのボタンからタッチ操作による入力を受け付ける。
【００４５】
次に、表示制御部１５１は、「印刷継続選択画面」から印刷継続の入力を受け付けたか否かの判断をする（ステップＳ３１６）。そして、印刷継続の入力を受け付けた場合（ステップＳ３１６：Ｙｅｓ）、書込制御部１５５は、上記設定情報の内容で残りの部数の印刷処理を行う（ステップＳ３１２）。一方、印刷中止の入力を受け付けた場合（ステップＳ３１６：Ｎｏ）、残りの部数の印刷処理は行なわず、ステップＳ３０１に戻って再度処理を繰り返す。
【００４６】
このように、本実施の形態にかかる複合機１００は、利用者により操作表示部１０１に設けられた試しコピーキー１０１ａが押下されると、通常印刷の実行前に操作表示部１０１に印刷結果のプレビュー画像を表示するか、実際に紙媒体等に１部印刷するかの選択を促し、前者の場合は、スキャンした原稿の画像データ（スキャン画像）に設定情報の画像を付加したプレビュー画像を操作表示部１０１に表示する。従って、利用者が印刷結果の確認のために試し印刷の印刷指示を行った場合でも、印刷結果が実際に印刷されることなくプレビュー画像として表示される。このため、原稿の内容や印刷に関する設定情報についての正確な印刷結果を、実際に印刷を行なわずにプレビュー画像で確認することができ、不要な印刷用紙についての無駄な費用を軽減でき、１部の印刷を行なう場合でも印刷前に印刷結果を確認できる。
【００４７】
図８は、本実施の形態にかかる複合機１００のハードウェア構成を示すブロック図である。図８に示すように、この複合機１００は、コントローラ１０とエンジン部（Engine）６０とをＰＣＩ（Peripheral Component Interconnect）バスで接続した構成となる。コントローラ１０は、複合機１００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００４８】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１２０とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００４９】
ＣＰＵ１１は、複合機１００の全体制御をおこなうものであり、ＮＢ１３、ＭＥＭ−Ｐ１２およびＳＢ１４からなるチップセットを有し、このチップセットを介して他の機器と接続される。
【００５０】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００５１】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００５２】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００５３】
ＡＳＩＣ１６は、画像処理用のハードウェア要素を有する画像処理用途向けのＩＣ（Integrated Circuit）であり、ＡＧＰ１５、ＰＣＩバス、ＨＤＤ１２０およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部１０１はＡＳＩＣ１６に直接接続されている。
【００５４】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００５５】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００５６】
なお、本実施の形態にかかる複合機１００で実行されるプレビュー画像表示プログラムは、ＲＯＭ等に予め組み込まれて提供される。本実施の形態にかかる複合機１００で実行されるプレビュー画像表示プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００５７】
さらに、本実施の形態にかかる複合機１００で実行されるプレビュー画像表示プログラムを、インターネット等のネットワークに接続されたコンピュータ上に格納し、ネットワーク経由でダウンロードさせることにより提供するように構成しても良い。また、本実施の形態にかかる複合機１００で実行されるプレビュー画像表示プログラムをインターネット等のネットワーク経由で提供または配布するように構成しても良い。
【００５８】
本実施の形態にかかる複合機１００で実行されるプレビュー画像表示プログラムは、上述した各部（表示制御部１５１、読取制御部１５２、画像処理部１５４、書込み制御部１５５）を含むモジュール構成となっており、実際のハードウェアとしてはＣＰＵ（プロセッサ）が上記ＲＯＭからプレビュー画像表示プログラムを読み出して実行することにより上記各部が主記憶装置上にロードされ、表示制御部１５１、読取制御部１５２、画像処理部１５４、書込み制御部１５５が主記憶装置上に生成されるようになっている。
【図面の簡単な説明】
【００５９】
【図１】本発明の実施の形態にかかる複合機の構成を示すブロック図である。
【図２】本実施の形態にかかる複合機の操作表示部の一例を示す模式図である。
【図３】複合機にかかる画像形成処理の手順を示すフローチャートである。
【図４】本実施の形態にかかる複合機の操作表示部に表示された「メニュー画面」の一例を示す模式図である。
【図５】本実施の形態にかかる複合機の操作表示部に表示された「試しコピー出力選択画面」の一例を示す模式図である。
【図６】本実施の形態にかかる複合機の操作表示部に表示された「試しコピープレビュー画面」の一例を示す模式図である。
【図７】本実施の形態にかかる複合機の操作表示部に表示された「印刷継続選択画面」の一例を示す模式図である。
【図８】本実施の形態にかかる複合機のハードウェア構成を示すブロック図である。
【符号の説明】
【００６０】
１００  複合機
１０１  操作表示部（操作表示手段の一例）
１０２  スキャナ部
１０３  プリンタ部
１１０  本体部
１２０  ＨＤＤ
１５０  制御部
１５１  表示制御部
１５２  読取制御部
１５３  画像メモリ
１５４  画像処理部
１５５  書込制御部
１０１ａ  試しコピーキー
２０１  液晶表示部
２０２  操作部
１０  コントローラ
１１  ＣＰＵ
１２  システムメモリ（ＭＥＭ−Ｐ）
１２ａ  ＲＯＭ
１２ｂ  ＲＡＭ
１３  ノースブリッジ（ＮＢ）
１４  サウスブリッジ（ＳＢ）
１５  ＡＧＰバス１５
１６  ＡＳＩＣ
１７  ＥＭ−Ｃ
３０  ＦＣＵ
４０  ＵＳＢ
５０  インターフェース
６０  エンジン部
【図１】
2007160790.tif 000003
【図２】
2007160790.tif 000004
【図３】
2007160790.tif 000005
【図４】
2007160790.tif 000006
【図５】
2007160790.tif 000007
【図６】
2007160790.tif 000008
【図７】
2007160790.tif 000009
【図８】
2007160790.tif 000010